(57)【要約】【課題】良好な色相及び堅牢性を有し、高い分光吸光係数を有する新規な構造のアゾ色素を提供する。【解決手段】下記一般式（１）で表わされる色素。    【化１】2006008905.tif 000016  前記一般式（１）中、Ｒはカプラー成分を表し、Ｒ１、およびＲ３はそれぞれ独立に、ＳＯ３Ｍ、ＳＯ２ＮＲ４Ｒ５または水素原子を表し、Ｒ２、Ｒ４、およびＲ５はそれぞれ独立に、水素原子または置換基を表し、Ｍは水素原子、金属元素又はアンモニウムを表す。但し、Ｒ１、およびＲ３が共に水素であることはない。【選択図】なし【特許請求の範囲】
【請求項１】
下記一般式（１）で表わされる色素。
【化１】
2006008905.tif 000014
前記一般式（１）中、Ｒはカプラー成分を表し、Ｒ１、およびＲ３はそれぞれ独立に、ＳＯ３Ｍ、ＳＯ２ＮＲ４Ｒ５または水素原子を表し、Ｒ２、Ｒ４、およびＲ５はそれぞれ独立に、水素原子または置換基を表し、Ｍは水素原子、金属元素又はアンモニウムを表す。但し、Ｒ１、およびＲ３が共に水素であることはない。
【請求項２】
Ｒが下記一般式（２）で表されることを特徴とする請求項１に記載の色素。
【化２】
2006008905.tif 000015
前記一般式（２）中、Ｙは一般式（１）のアゾ部と結合する結合手を表す。Ｒ６、Ｒ７、Ｒ８、およびＲ９はそれぞれ独立に水素原子または置換基を表す。Ｒ６、Ｒ７、Ｒ８、およびＲ９は互いに結合して縮合環を形成しても良い。Ｘは炭素原子または窒素原子を表し、Ｘが窒素原子のときｎは０であり、炭素原子のときはｎは１である。
【請求項３】
前記一般式（１）中、Ｒ１が水素原子を表し、Ｒ３がＳＯ３ＨまたはＳＯ２ＮＲ４Ｒ５を表すことを特徴とする請求項１に記載の色素。
【発明の詳細な説明】
【技術分野】
【０００１】
本発明は新規な２，１，３−ベンゾチアジアゾール部分を有するアゾ色素に関する。
【背景技術】
【０００２】
従来から、アゾ色素は種々の可視光吸収を有することが多いために、色素として種々の分野で利用されてきた。例えば合成樹脂の着色、印刷インク、昇華型感熱転写材料用色素、インクジェット用インク、カラーフィルター用色素等、種々の分野で用いられるようになってきている。色素としてアゾ色素に要求される大きな性能に吸収スペクトルがある。色素の色相は、色素によって着色した物体の色目、風合い等に大きな影響を与え、視覚に与える効果が大きい。従って、古くから色素の吸収スペクトルに関する研究がなされている。総説としては非特許文献１に示されており、成書としては非特許文献２、３等が有り、アゾ色素あるいはアゾ顔料の章に詳細に説明されている。
【０００３】
近年、画像記録材料として、カラー画像が主流となり、色素の使用用途も多様化してきた。具体的には、インクジェット方式の記録材料、感熱転写方式の記録材料、電子写真方式の記録材料、転写式ハロゲン化銀感光材料、印刷インク等に盛んに利用されている。また、撮影機器ではＣＣＤなどの撮像素子において、ディスプレイではＬＣＤやＰＤＰにおいて、カラー画像を記録、再現するためにカラーフィルターが使用されている。これらのカラー画像記録材料やカラーフィルターでは、フルカラー画像を再現あるいは記録するために、いわゆる加法混色法や減法混色法の３原色の着色剤（染料や顔料）が使用されている。しかし、好ましい色再現域を実現できる吸収特性を有し、且つさまざまな使用条件、環境条件に耐えうる、色相が良く堅牢な着色剤が無いのが現状であり、改善が強く望まれている。
【０００４】
これらの各用途で使用する着色剤には、共通して、色再現上好ましい吸収特性を有すること、使用される環境条件化での堅牢性、モル吸光係数が大きいこと等が要求される。
従来から２，１，３−ベンゾチアジアゾール誘導体をアゾ成分とするアゾ染料は、特許文献１〜２に開示されているが、いずれも色相、堅牢性、分子吸光係数を満足させるものではなかった。また、非特許文献４には２，１，３−ベンゾチアジアゾール誘導体アゾ染料の合成方法が記載されているがこれらのアゾ染料は色相、分光吸光係数等を満足するものではなかった。
【特許文献１】英国特許 第１５５０６２０Ａ号明細書
【特許文献２】伊国特許 第７７８４３３号明細書
【非特許文献１】ジェイ・ファビアンおよびエイチ・ハートマン（J．Fabian and H．Hartmann）著、ライト・アブソープション・オブ・オルガニック・カーラーンツ（ Light Absorption of Organic Colorants）、 Springer−Verlag， Berline， （１９８０年）
【非特許文献２】ハインリッヒ・ゾーリンガー（Heinrich Zollinger）著、カラー・ヘミストリー（Color hemistry）、 Weinheim・New York・Basel・Cambridge， （１９８７年）
【非特許文献３】合成染料、 野口博著、 三共出版株式会社、（１９７０年）
【非特許文献４】ボレティノ・サイエンティフィコ・デラ・ファコルタ・ディ・ケミカ・インダストリアーレ・ディ・ボローニャ（Bollettino Scientifico della Facolta di Chimica Industriale di Bologna）， ２６巻（３−４）， ２１５−２６頁 （１９６８年）
【発明の開示】
【発明が解決しようとする課題】
【０００５】
本発明の目的は、良好な色相及び堅牢性を有し、高い分光吸光係数を有する新規な構造のアゾ色素を提供することである。
【課題を解決するための手段】
【０００６】
本発明者らは、鋭意研究を重ねた結果、特定の２，１，３−ベンゾチアジアゾール誘導体アゾ色素が、良好な色相を有し、かつ光および熱に対して良好な堅牢性を発揮することを見出し、本発明をなすに至った。前記課題は下記の手段によって達成される。
（１）下記一般式（１）で表わされる色素。
【０００７】
【化１】
2006008905.tif 000002
【０００８】
前記一般式（１）中、Ｒはカプラー成分を表し、Ｒ１、およびＲ３はそれぞれ独立に、ＳＯ３Ｍ、ＳＯ２ＮＲ４Ｒ５または水素原子を表し、Ｒ２、Ｒ４、およびＲ５はそれぞれ独立に、水素原子または置換基を表し、Ｍは水素原子、金属元素又はアンモニウムを表す。但し、Ｒ１、およびＲ３が共に水素であることはない。
（２）Ｒが下記一般式（２）で表されることを特徴とする（１）項に記載の色素。
【０００９】
【化２】
2006008905.tif 000003
前記一般式（２）中、Ｙは一般式（１）のアゾ部と結合する結合手を表す。Ｒ６、Ｒ７、Ｒ８、およびＲ９はそれぞれ独立に水素原子または置換基を表す。Ｒ６、Ｒ７、Ｒ８、およびＲ９は互いに結合して縮合環を形成しても良い。Ｘは炭素原子または窒素原子を表し、Ｘが窒素原子のときｎは０であり、炭素原子のときはｎは１である。
（３）前記一般式（１）中、Ｒ１が水素原子を表し、Ｒ３がＳＯ３ＨまたはＳＯ２ＮＲ４Ｒ５を表すことを特徴とする（１）項に記載の色素。
【発明の効果】
【００１０】
本発明のアゾ色素は色相に優れ、光、熱、湿度および環境中の活性ガスに対して充分な堅牢性を有する新規な染料であって、高い分光吸収係数を有する。
【発明を実施するための最良の形態】
【００１１】
以下に本発明を詳細に説明する。
本発明における置換基とは、水素原子に対して置換可能な基であればよく、例えば脂肪族基（好ましくは炭素数１〜１５のもの、例えば、メチル基、エチル基、プロピル基、イソプロピル基、プロパルギル基、ビニル基）、アリール基（好ましくは炭素数６〜１６のもの、例えば、フェニル基、４−ニトロフェニル基、２，４−ジクロロフェニル基）、ヘテロ環基（好ましくは５〜１０員環のヘテロ環基のもの、例えば、２−テトラヒドロフリル基、２−ピリジル基、ピリミジン−２−イル基、１−イミダゾリル基、１−ピラゾリル基、２−ピロリル基、ベンゾチアゾール−２−イル基、ベンゾイミダゾール−２−イル基）、アシル基（好ましくは炭素数１〜１５のもの、例えば、アセチル基、２−メチルプロパノイル基、ピバロイル基、ベンゾイル基）、アシルオキシ基（好ましくは炭素数１〜１６のもの、例えば、アセトキシ基、プロパノイルオキシ基、ベンゾイルオキシ基）、アシルアミノ基（好ましくは炭素数１〜８のもの、例えば、アセチルアミノ基、プロピオニルアミノ基、２−メチルプロパノイルアミノ基、クロロアセチルアミノ基、ベンズアミド基）、脂肪族オキシ基（好ましくは炭素数１〜１６のもの、例えば、メトキシ基、エトキシ基、ブトキシ基、２−メトキシエトキシ基）、アリールオキシ基（好ましくは炭素数６〜１７のもの、例えば、フェノキシ基、４−ニトロフェノキシ基）、ヘテロ環オキシ基（好ましくは５〜１０員環のヘテロ環基のもの、例えば、２−ピリジルオキシ基、２−フリルオキシ基、３−ピラゾリルオキシ基）、脂肪族オキシカルボニル基（好ましくは炭素数１〜１５のもの、例えば、メトキシカルボニル基、２−プロピルオキシカルボニル基、ブトキシカルボニル基）、アリールオキシカルボニル基（好ましくは炭素数７〜１７のもの、例えば、フェノキシカルボニル基、４−メトキシフェノキカルボニル基）、ヘテロ環オキシカルボニル基（好ましくは５〜１０員環のヘテロ環基のもの、例えば、２−ピリジルオキシカルボニル基、２−チエニルオキシカルボニル基）、カルバモイル基（好ましくは炭素数１〜１２のもの、例えば、カルバモイル基、Ｎ−エチルカルバモイル基、Ｎ，Ｎ−ジメチルカルバモイル基）、脂肪族スルホニル基（好ましくは炭素数１〜１５のもの、例えば、メタンスルホニル基、ブタンスルホニル基、メトキシエタンスルホニル基）、アリールスルホニル基（好ましくは炭素数６〜１６のもの、例えば、フェニルスルホニル基、４−ｔ−ブチルフェニルスルホニル基、ｐ−トルエンスルホニル基）、ヘテロ環スルホニル基（好ましくは５〜１０員環のヘテロ環基のもの、例えば、２−テトロヒドロピラニルスルホニル基）、脂肪族スルホニルオキシ基（好ましくは炭素数１〜１５のもの、例えば、メタンスルホニルオキシ基、エタンスルホニルオキシ基）、アリールスルホニルオキシ基（好ましくは炭素数６〜１６のもの、例えば、フェニルスルホニルオキシ基）、ヘテロ環スルホニルオキシ基（好ましくは５〜１０員環のヘテロ環基のもの、例えば、２−ピリジルスルホニルオキシ基）、スルファモイル基（好ましくは炭素数０〜１２のもの、例えば、スルファモイル基、Ｎ，Ｎ−ジメチルスルファモイル基）、脂肪族スルホンアミド基（好ましくは炭素数１〜１５のもの、例えば、メタンスルホンアミド基、ブタンスルホンアミド基）、アリールスルホンアミド基（好ましくは炭素数６〜１６のもの、例えば、ベンゼンスルホンアミド基、ｐ−トルエンスルホンアミド基）、ヘテロ環スルホンアミド基（好ましくは５〜１０員環のヘテロ環基のもの、例えば、２−ピリジルスルホニルアミノ基）、アミノ基、脂肪族アミノ基（好ましくは炭素数１〜１６のもの、例えば、メチルアミノ基、Ｎ，Ｎ−ジエチルアミノ基、ブチルアミノ基）、アリールアミノ基（好ましくは炭素数６〜１６のもの、例えば、フェニルアミノ基）、ヘテロ環アミノ基（好ましくは５〜１０員環のヘテロ環基のもの、例えば、２−ピリジルアミノ基、ピラゾール−４−イルアミノ基、ベンゾイミダゾール−２−イルアミノ基、ベンゾチアゾール−２−イルアミノ基、ベンゾオキサゾール−２−イルアミノ基、２−オキサゾリルアミノ基、１，２，４−トリアゾール−３−イルアミノ基、１，２，４−チアジアゾール−２−イルアミノ基、１，３，４−チアジアゾール−２−イルアミノ基、１，２，４−オキサジアゾール−２−イルアミノ基、１，３，４−オキサジアゾール−２−イルアミノ基）、脂肪族オキシカルボニルアミノ基（好ましくは炭素数２〜１２のもの、例えば、メトキシカルボニルアミノ基、エトキシカルボニルアミノ基、ｔ−ブトキシカルボニルアミノ基）、アリールオキシカルボニルアミノ基（好ましくは炭素数７〜１７のもの、例えば、フェノキシカルボニルアミノ基）、ヘテロ環オキシカルボニルアミノ基（好ましくは５〜１０員環のヘテロ環基のもの、例えば、２−ピリジルオキシカルボニルアミノ基）、脂肪族スルフィニル基（好ましくは炭素数１〜１２のもの、例えば、メチルスルフィニル基、ブチルスルフィニル基）、アリールスルフィニル基（好ましくは炭素数６〜１６のもの、例えば、フェニルスルフィニル基）、脂肪族チオ基（好ましくは炭素数１〜１８のもの、例えば、メチルチオ基、エチルチオ基、２−エトキシエチルチオ基、ブチルチオ基）、アリールチオ基（好ましくは炭素数６〜１８のもの、例えば、フェニルチオ基）、ヒドロキシ基、メルカプト基、シアノ基、スルホ基、カルボキシル基、脂肪族オキシアミノ基（好ましくは炭素数１〜１２のもの、例えば、メトキシアミノ基、ブトキシアミノ基）、アリールオキシアミノ基（好ましくは炭素数６〜１６のもの、例えば、フェノキシアミノ基）、カルバモイルアミノ基（好ましくは炭素数０〜１８のもの、例えば、カルバモイルアミノ基）、スルファモイルアミノ基（好ましくは炭素数０〜１８のもの、例えば、スルファモイルアミノ基、Ｎ，Ｎ−ジメチルスルファモイルアミノ基）、ハロゲン原子、スルファモイルカルバモイル基（好ましくは炭素数１〜１２のもの、例えば、Ｎ−（スルファモイル）カルバモイル基、Ｎ−（Ｎ’，Ｎ’−ジメチルスルファモイル）カルバモイル基）、カルバモイルスルファモイル基（好ましくは炭素数１〜１２のもの、例えば、Ｎ−（カルバモイル）スルファモイル基）、ジ脂肪族オキシホスフィニル基（好ましくは炭素数２〜１６のもの、例えば、ジメトキシホスホニル基）、ジアリールオキシホスフィニル基（好ましくは炭素数６〜１６のもの、例えば、フェノキシホスフィニル基）等をあげることができる。
【００１２】
次に、本発明の一般式（１）で表される色素（化合物）を詳細に説明する。
【００１３】
【化３】
2006008905.tif 000004
【００１４】
一般式（１）において、Ｒ１、およびＲ３はそれぞれ独立に、ＳＯ３Ｍ、ＳＯ２ＮＲ４Ｒ５または水素原子を表し、Ｒ２、Ｒ４、およびＲ５はそれぞれ独立に、水素原子または置換基を表し、Ｍは水素原子、金属元素又はアンモニウムを表す。但し、Ｒ１、Ｒ３が共に水素であることはない。
【００１５】
Ｒ２で表される置換基としては、前述の本発明における置換基の項で述べた基であって、置換可能な基であれば良い。
本発明の効果の点で、Ｒ２として好ましくは、水素原子、脂肪族基、アリール基、アシルオキシ基、アシルアミノ基、脂肪族オキシ基、脂肪族スルホニルオキシ基、アリールスルホニルオキシ基、脂肪族スルホンアミド基、アリールスルホンアミド基、アミノ基、脂肪族アミノ基、アリールアミノ基、脂肪族オキシカルボニルアミノ基、アリールオキシカルボニルアミノ基、ヘテロ環オキシカルボニルアミノ基、ヒドロキシ基、シアノ基、スルホ基、カルバモイルアミノ基、スルファモイルアミノ基、またはハロゲン原子である。より好ましくは、水素原子、脂肪族基、アリール基、アシルオキシ基、脂肪族オキシ基、脂肪族スルホニルオキシ基、またはハロゲン原子である。最も好ましくは、水素原子である。
【００１６】
Ｒ４およびＲ５で表される置換基としては、前述の本発明における置換基の項で述べた基であって、置換可能な基であれば良い。
本発明の効果の点で、Ｒ４およびＲ５として好ましくは、水素原子；ｎが１から６の整数である直鎖もしくは分岐鎖のアルキル（ＣｎＨ２ｎ＋１）基；ヒドロキシ基、１から６個の炭素原子を有するアルコキシ基、ハロゲン原子、スルファモイル基、スルホンアミド基、カルボキシ基、カルバモイル基、カルボキサミド基、カルボン酸エステルまたはスルホ基で置換されたアルキル基；シクロアルキル基；ベンジル基；フェニル基；ヒドロキシ基、１から６個の炭素原子を有するアルコキシ基、ハロゲン原子、スルファモイル基、カルボキシ基、カルバモイル基、カルボキサミド基、カルボン酸エステルまたはスルホ基で置換されたフェニル基；複素環式基；スルファモイル基、カルボキシ基、カルバモイル基、カルボン酸エステル、スルホ基または１から６個の炭素原子を有するアルキル基で置換された複素環式基が挙げられ、それらが付加した窒素原子とともに５または６員環を形成してもよい。より好ましくは、水素原子、またはｎが１から４の整数である直鎖もしくは分岐鎖のアルキル（ＣｎＨ２ｎ＋１）基である。最も好ましくは、水素原子である。
Ｍは水素原子、金属元素又はアンモニウムを表し、Ｍで表される金属元素としてはアルカリ金属又はアルカリ土類金属が好ましく、アルカリ金属の場合、リチウム、ナトリウム、カリウムなどが好ましく、アルカリ土類金属の場合、マグネシウム、カルシウムが好ましい。Ｍで表されるアンモニウムとしては、アンモニウム、テトラメチルアンモニウム、テトラエチルアンモニウム、テトラプロピルアンモニウム、トリメチルオクタデシルアンモニウム、テトラブチルアンモニウム、ベンジルトリメチルアンモニウムが挙げられる。
【００１７】
一般式（１）において、Ｒはカプラー成分を表す。本発明において、Ｒはとしては、下記一般式（２）〜（１４）で表される構造のカプラー成分が好ましい。なお、これらはそれぞれ一般に活性メチレン、ピラゾロン、ピラゾロアゾール、フェノール、ナフトール、ピロロトリアゾールと総称される成分である。一般式（２）〜（１４）において、Ｙは一般式（１）のアゾ部と結合する結合手を表す。
【００１８】
【化４】
2006008905.tif 000005
【００１９】
【化５】
2006008905.tif 000006
【００２０】
一般式（２）中、Ｙは一般式（１）のアゾ部と結合する結合手を表す。Ｒ６、Ｒ７、Ｒ８、およびＲ９はそれぞれ独立に水素原子または置換基を表す。Ｘは炭素原子または窒素原子を表し、Ｘが窒素原子のときｎは０であり、炭素原子のときはｎは１である。Ｒ６、Ｒ７、Ｒ８、Ｒ９で表される置換基としては、前述の本発明における置換基の項で述べた基であって、置換可能な基であれば良い。Ｒ６、Ｒ７、Ｒ８、Ｒ９は互いに結合して縮合環を形成しても良い。縮合環を形成する場合、好ましくは、Ｒ６とＲ７、Ｒ８とＲ９が互いに結合し、５〜７員環（芳香環であっても非芳香環であっても良く、炭素環であっても複素環であっても良く、例えばベンゼン環、ピリジン環）を形成する。
Ｒ６、Ｒ７、Ｒ８、Ｒ９で表される置換基として好ましくは、水素原子、脂肪族基、アリール基、ヘテロ環基、アシルオキシ基、アシルアミノ基、脂肪族オキシ基、アリールオキシ基、ヘテロ環オキシ基、脂肪族スルホンアミド基、アリールスルホンアミド基、ヘテロ環スルホンアミド基、アミノ基、脂肪族アミノ基、アリールアミノ基、ヘテロ環アミノ基、脂肪族オキシカルボニルアミノ基、アリールオキシカルボニルアミノ基、ヘテロ環オキシカルボニルアミノ基、脂肪族チオ基、アリールチオ基、ヒドロキシ基、シアノ基、スルホ基、カルボキシル基、カルバモイルアミノ基、スルファモイルアミノ基、またはハロゲン原子である。より好ましくは、水素原子、脂肪族基、ヘテロ環基、アシルアミノ基、脂肪族オキシ基、アリールオキシ基、脂肪族スルホンアミド基、アリールスルホンアミド基、脂肪族アミノ基、アリールアミノ基、ヘテロ環アミノ基、脂肪族チオ基、アリールチオ基、またはハロゲン原子である。Ｒ６、Ｒ８で表される置換基としては、水素原子、ハロゲン原子、シアノ基、−ＣＯＮＲ１８Ｒ１９、−ＳＯ２ＮＲ１８Ｒ１９、−ＮＨＣＯＲ１８、−ＮＨＣＯＮＲ１８Ｒ１９、−ＮＨＳＯ２ＮＲ１８Ｒ１９から選ばれる基が最も好ましい。Ｒ１８、Ｒ１９は水素原子または置換基を表す。Ｒ１８、Ｒ１９は水素原子、炭素数１〜１０のアルキル基、炭素数６〜１０のアリール基、炭素数１〜１０のヘテロ環基が好ましい。Ｒ７、Ｒ９で表される置換基としては、水素原子、アシルアミノ基、またはハロゲン原子が最も好ましい。
【００２１】
一般式（３）〜（６）は活性メチレン系カプラーと称されるカプラーを表し、式中Ｒ１０は置換基を有しても良いアシル基、シアノ基、ニトロ基、アリール基、ヘテロ環残基、アルコキシカルボニル基、アリールオキシカルボニル基、カルバモイル基、スルファモイル基、アルキルスルホニル基、またはアリールスルホニル基である。一般式（３）〜（５）において、Ｒ１１は置換基を有しても良いアルキル基、アリール基またはヘテロ環残基である。一般式（６）においてＲ１２は置換基を有しても良いアリール基またはヘテロ環残基である。Ｒ１０、Ｒ１１、およびＲ１２が有しても良い置換基としては、前述の置換基の例として述べたものがあげられる。一般式（３）〜（６）において、Ｒ１０とＲ１１、Ｒ１０とＲ１２は互いに結合して環を形成しても良い。
【００２２】
一般式（７）は５−ピラゾロン系カプラーと称されるカプラーを表し、式中、Ｒ１３はシアノ基、カルバモイル基、アルコキシカルボニル基、アシルアミノ基、アリールアミノ基、アルコキシ基、アリールオキシ基、又はアルキル基を表す。Ｒ１４はフェニル基または１個以上のハロゲン原子、アルキル基、シアノ基、アルコキシ基、アルコキシカルボニル基またはアシルアミノ基が置換したフェニル基を表す。
【００２３】
一般式（８）はピラゾロアゾール系カプラーと称されるカプラーを表し、式中、Ｒ１５は水素原子または置換基を表す。Ｑは窒素原子を２〜４個含む５員のアゾール環を形成するのに必要な非金属原子群を表し、該アゾール環は置換基（縮合環を含む）を有しても良い。
【００２４】
一般式（１１）〜（１４）はピロロトリアゾールと称されるカプラーであり、Ｒ２０、Ｒ２１、またはＲ２２は水素原子または置換基を表す。Ｒ２０、Ｒ２１、またはＲ２２の置換基としては、前記の本発明における置換基として述べたものが挙げられる。
【００２５】
また一般式（２）〜（１４）の他にも縮環フェノール、イミダゾール、ピロール、３−ヒドロキシピリジン（特開平１−３１５７３６号公報等に記載のカプラー）、活性メチレン、活性メチン、５，５−縮環複素環、５，６−縮環複素環といった構造を有するカプラー等が使用できる。
【００２６】
本発明において、Ｒは効果の点で、一般式（２）で表されるカプラー成分が好ましい。
一般式（２）で表させるカプラー成分として好ましくは一般式（９）、（１０）で表される成分が好ましい。
【００２７】
【化６】
2006008905.tif 000007
【００２８】
一般式（９）、（１０）はそれぞれフェノール系カプラー、ナフトール系カプラーと称されるカプラーであり、式中、Ｒ１６は水素原子、ハロゲン原子、−ＣＯＮＲ１８Ｒ１９、−ＳＯ２ＮＲ１８Ｒ１９、−ＮＨＣＯＲ１８、−ＮＨＣＯＮＲ１８Ｒ１９、または−ＮＨＳＯ２ＮＲ１８Ｒ１９から選ばれる基を表す。Ｒ１８、Ｒ１９は水素原子または置換基を表す。一般式（９）、（１０）において、Ｒ１７は置換基を表し、ｌは０〜２から選ばれる整数、ｍは０〜４から選ばれる整数を表す。ｌ、ｍが２以上の時には複数のＲ１７はそれぞれ異なっていても良い。Ｒ１７〜Ｒ１９で表される置換基としては前記の本発明における置換基として述べたものが挙げられる。Ｒ１８、Ｒ１９は水素原子、炭素数１〜１０のアルキル基、炭素数６〜１０のアリール基、炭素数１〜１０のヘテロ環基が好ましい。Ｒ１７はＲ１６と同じ意味の基であることが好ましく、一般式（９）においては水酸基のオルト位もしくはＲ１６のパラ位に位置することが好ましく、一般式（１０）においてはナフトール環の５位もしくは８位に位置することが好ましい。
【００２９】
以下に前記一般式（１）で表される色素の具体例を以下に示すが、本発明の色素は、下記の例に限定されるものではない。
【００３０】
【化７】
2006008905.tif 000008
【００３１】
【化８】
2006008905.tif 000009
【００３２】
【化９】
2006008905.tif 000010
【００３３】
上記例示化合物Ｃ１〜Ｃ２４において、Ｅｔはエチル基、Ｍｓはメタンスルホニル基を表す。
【００３４】
一般式（１）で表わされる色素（アゾ染料）の用途としては、ＣＣＤ、ＣＭＯＳなどの固体撮像素子や、ＬＣＤ、ＰＤＰ等ディスプレイに用いられるカラー画像を記録、再現するためのカラーフィルター、あるいはこれらのカラーフィルターを作製するための硬化性組成物、カラー画像を形成するためのカラー画像記録材料、染色等が挙げられる。具体的には、カラーフィルターおよびこれらのカラーフィルターを作製するための硬化組成物、インクジェット方式記録材料、感熱記録材料、感圧記録材料、電子写真方式を用いる記録材料、記録ペン、繊維の染色等があり、好ましくはインクジェット方式記録材料、転写式ハロゲン化銀感光材料、印刷インク等への使用が挙げられる。
本発明の色素は、その用途に適した溶解性、分散性などの物性を置換基を調整することによって最適化し使用する。また本発明の色素は、用いられる系に応じて溶解状態、乳化分散状態、固体分散状態でも使用することができる。
【００３５】
以下に本発明を実施例に基づき具体的に説明するが、本発明はこれらの実施例に限定されるものではない。
【実施例１】
【００３６】
例示化合物（Ｃ１）の合成
例示化合物（Ｃ１）は下記スキーム１にしたがって合成した。
【００３７】
【化１０】
2006008905.tif 000011
【００３８】
化合物（Ａ）（東京化成（株）製）５４．４ｇ（０．３６モル）をｍ−ジクロロベンゼン３００ｍｌに溶かした溶液に、攪拌下に９８％硫酸９７．５ｇを徐々に添加した。その後、１５０℃で５時間攪拌した。反応液を室温に下げ、析出した結晶を濾過し、メタノールで充分洗浄した。得られた結晶を乾燥し、化合物（Ｂ）６６．０ｇを得た。収率７９％であった。
化合物（Ｂ）１１．５ｇ（０．０５モル）を燐酸２８８ｍｌに溶かした溶液に、０℃で攪拌下に、亜硝酸ナトリウム３．４５ｇ（０．０５モル）を添加し、さらに３０分間攪拌した。この反応液に化合物（Ｃ）９．０ｇ（０．０４５モル）を添加し、２５℃で３時間攪拌した。得られた反応液に水３００ｍｌを加え１時間攪拌し、析出した結晶を濾過し、水で充分洗浄した。得られた結晶を乾燥し、アセトニトリル１００ｍｌで晶析し、濾過し、冷アセトニトリル５０ｍｌで洗浄し、乾燥し、茶色結晶の本発明の例示化合物（Ｃ１）を１２．５ｇ得た。収率６０％、融点３００℃以上、ＤＭＦ中の吸収極大λｍａｘ５８２ｎｍであった。この色素は、図１の吸収スペクトルを示し、色相が良好であった。また堅牢性は特開平１２−２８０６３０号公報の実施例１に記載の試験によって、濃度低下や変色が観測されず安定であり、光もしくは熱に対する堅牢性が良好であった。
【実施例２】
【００３９】
例示化合物（Ｃ１３）の合成
例示化合物（Ｃ１３）は下記スキーム２にしたがって合成した。
【００４０】
【化１１】
2006008905.tif 000012
【００４１】
実施例１における化合物（Ｂ）８０．９ｇ（０．３５モル）、酢酸ナトリウム２８．７ｇ（０．３５モル）を酢酸３５０ｍｌに溶かした溶液に、無水酢酸１４２．９ｇ（１．４モル）を徐々に添加した。その後、８０℃で３時間攪拌した。反応液を室温に下げ、析出した結晶を濾過し、酢酸エチルで充分洗浄した。得られた結晶を乾燥し、化合物（Ｄ）８２．０ｇを得た。収率８６％であった。
化合物（Ｄ）８２．０ｇ（０．３モル）をアセトニトリル１２００ｍｌに溶かした溶液に、攪拌下にオキシ塩化燐４５．９ｇ（０．３モル）を滴下し、２５℃で３時間攪拌した。反応液を０℃で攪拌下に、アンモニア水１００ｍｌを滴下し、０℃で３０分攪拌し、析出した結晶を濾過し、水１００ｍｌで洗浄した。乾燥し化合物（Ｅ）５６．８ｇを得た。収率７０％であった。
化合物（Ｅ）５６．８ｇ（０．２１モル）をメタノール５７０ｍｌに溶かした溶液に、攪拌下に塩酸４０７ｍｌを添加し、８０℃で３時間攪拌した。反応液を室温に下げ、析出した結晶を濾過し、メタノール１００ｍｌで洗浄した。乾燥した化合物（Ｆ）３６．５ｇを得た。収率７５％であった。
化合物（Ｆ）６．９ｇ（０．０３モル）を燐酸１７３ｍｌに溶かした溶液を０℃で攪拌下に、亜硝酸ナトリウム２．１ｇ（０．０３モル）を添加し、３０分間攪拌した。反応液に実施例１で示した化合物（Ｃ）５．４ｇ（０．０２７モル）を添加し、２５℃で３時間攪拌した。反応液に水１５０ｍｌを加え１時間攪拌し、析出した結晶を濾過し、水で充分洗浄した。得られた結晶を乾燥し、シリカゲルカラムクロマトグラフィーで精製し、メタノール１５ｍｌで晶析、析出した結晶を濾過し、冷メタノール１０ｍｌで洗浄し、乾燥し、茶色結晶の本発明の例示化合物（Ｃ１３）を３．９ｇ得た。収率５０％、融点１９７〜１９８℃、ＤＭＦ中の吸収極大λｍａｘ６３５．６ｎｍ、ε４１，６００であった。この色素は、図２の吸収スペクトルを示し、色相が良好であった。また堅牢性は特開平１２−２８０６３０号公報の実施例１に記載の試験によって、濃度低下や変色が観測されず安定であり、光もしくは熱に対する堅牢性が良好であった。
【実施例３】
【００４２】
例示化合物（Ｃ１４）の合成
例示化合物（Ｃ１４）は下記スキーム３にしたがって合成した。
【００４３】
【化１２】
2006008905.tif 000013
【００４４】
実施例２における化合物（Ｃ）５．４ｇ（０．０２７モル）を化合物（Ｇ）６．４ｇ（０．０２７モル）に変更した以外は実施例２と同様にして反応させ、シリカゲルカラムクロマトグラフィーで精製し、メタノール１５ｍｌで晶析、析出した結晶を濾過し、冷メタノール１０ｍｌで洗浄し、乾燥し、茶色結晶の本発明の例示化合物（Ｃ１４）を１．５ｇ得た。収率１２％、融点１８８〜１８９℃、ＤＭＦ中の吸収極大λｍａｘ６８２．９ｎｍ、ε５０，６００であった。この色素は、図３の吸収スペクトルを示し、色相が良好であった。また堅牢性は特開平１２−２８０６３０号公報の実施例１に記載の試験によって、濃度低下や変色が観測されず安定であり、光もしくは熱に対する堅牢性が良好であった。
【図面の簡単な説明】
【００４５】
【図１】実施例１で合成された色素の吸収スペクトル（溶媒はＮ，Ｎ−ジメチルホルムアミド）である。
【図２】実施例２で合成された色素の吸収スペクトル（溶媒はＮ，Ｎ−ジメチルホルムアミド）である。
【図３】実施例３で合成された色素の吸収スペクトル（溶媒はＮ，Ｎ−ジメチルホルムアミド）である。
【図１】
2006008905.tif 000017
【図２】
2006008905.tif 000018
【図３】
2006008905.tif 000019